(57)【要約】【課題】信頼性が高く、温度上昇値を抑えた電源部を有する表示装置を提供する。【解決手段】第１下部通気孔３６及び第１上部通気孔３８が形成されたケーシング４０と、前記ケーシング４０内の前面側に配置された液晶表示部と、前記ケーシング４０内の後面側に配置され、前記液晶表示部のバックライトに電源を供給する第１電源部１５と、前記第１上部通気孔３８の近傍に位置する様に、前記ケーシング４０内の後面側に配置された第１冷却ファン２３とを備え、前記第１電源部１５を構成する第１回路基板２５は、前記ケーシング４０の第１側面４２に対して、傾けて配置された。【選択図】      図２
2004294863.tif 000002
【特許請求の範囲】
【請求項１】
第１下部通気孔及び第１上部通気孔が形成されたケーシングと、前記ケーシング内の前面側に配置された液晶表示部と、前記ケーシング内の後面側に配置され、前記液晶表示部のバックライトに電源を供給する第１電源部と、前記第１上部通気孔の近傍に位置する様に、前記ケーシング内の後面側に配置された第１冷却ファンとを備え、前記第１電源部を構成する第１回路基板は、前記ケーシングの第１側面に対して、傾けて配置されたことを特徴とする表示装置。
【請求項２】
前記第１冷却ファン及び前記第１電源部に隣接する第１仕切板を設け、前記第１仕切板に第１開口部を設け、前記第１冷却ファンによる吸込空気は、前記第１下部通気孔から入り、前記第１開口部と前記第１電源部の近傍と前記第１冷却ファンを通り、前記第１上部通気孔から排出される様に構成したことを特徴とする請求項１の表示装置。
【請求項３】
前記ケーシングに第２上部通気孔を設け、前記ケーシング内の後面側に配置され、前記液晶表示部の駆動部に電源を供給する第２電源部を設け、前記第２上部通気孔の近傍に位置する様に、前記ケーシング内の後面側に第２冷却ファンを設け、前記第２電源部を構成する第２回路基板は、前記第１側面に対向する前記ケーシングの第２側面に対し、傾けて配置されたことを特徴とする請求項１の表示装置。
【請求項４】
前記第２冷却ファン及び前記第２電源部に隣接する第２仕切板を設け、前記第２仕切板に第２開口部を設け、前記第２冷却ファンによる第１吸込空気は、前記第１下部通気孔から入り、前記第２開口部と前記第２電源部の近傍と前記第２冷却ファンを通り、前記第２上部通気孔から排出される様に構成したことを特徴とする請求項３の表示装置。
【請求項５】
前記第２電源部の下部に位置する様に、前記ケーシングに第２下部通気孔を設け、前記第２冷却ファンによる第２吸込空気は、前記第２下部通気孔から入り、前記第２電源部の近傍と前記第２冷却ファンを通り、前記第２上部通気孔から排出される様に構成したことを特徴とする請求項４の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、電源手段１００と、画像駆動部２００と、信号処理部３００等を有する表示装置が示されている。
【０００３】
【特許文献１】
特開２００２−２８７１０９号公報
【０００４】
【発明が解決しようとする課題】
しかし、上記装置では、画像駆動部２００の表示パネルが大型化すると、電源手段１００が出力する電力も大きくなる。その結果、電源手段１００の信頼性（所定の電圧を正確に出力する事）が低下する、第１の欠点がある。
【０００５】
この欠点を解消するために、本発明者は、１個の電源手段１００の代わりに、２個の電源部を設けた。しかし、各電源部を構成する各電気部品の温度上昇値が大きい、第２の欠点がある。故に、本発明はこの様な従来の欠点を考慮し、信頼性が高く、温度上昇値を抑えた電源部を有する表示装置を提供する。
【０００６】
【課題を解決するための手段】
上記課題を解決するために、請求項１の本発明では、第１下部通気孔及び第１上部通気孔が形成されたケーシングと、前記ケーシング内の前面側に配置された液晶表示部と、前記ケーシング内の後面側に配置され、前記液晶表示部のバックライトに電源を供給する第１電源部と、前記第１上部通気孔の近傍に位置する様に、前記ケーシング内の後面側に配置された第１冷却ファンとを備え、前記第１電源部を構成する第１回路基板は、前記ケーシングの第１側面に対して、傾けて配置された。
【０００７】
請求項２の本発明では、前記第１冷却ファン及び前記第１電源部に隣接する第１仕切板を設け、前記第１仕切板に第１開口部を設け、前記第１冷却ファンによる吸込空気は、前記第１下部通気孔から入り、前記第１開口部と前記第１電源部の近傍と前記第１冷却ファンを通り、前記第１上部通気孔から排出される様に構成した。
【０００８】
請求項３の本発明では、前記ケーシングに第２上部通気孔を設け、前記ケーシング内の後面側に配置され、前記液晶表示部の駆動部に電源を供給する第２電源部を設け、前記第２上部通気孔の近傍に位置する様に、前記ケーシング内の後面側に第２冷却ファンを設け、前記第２電源部を構成する第２回路基板は、前記第１側面に対向する前記ケーシングの第２側面に対し、傾けて配置された。
【０００９】
請求項４の本発明では、前記第２冷却ファン及び前記第２電源部に隣接する第２仕切板を設け、前記第２仕切板に第２開口部を設け、前記第２冷却ファンによる第１吸込空気は、前記第１下部通気孔から入り、前記第２開口部と前記第２電源部の近傍と前記第２冷却ファンを通り、前記第２上部通気孔から排出される様に構成した。
【００１０】
請求項５の本発明では、前記第２電源部の下部に位置する様に、前記ケーシングに第２下部通気孔を設け、前記第２冷却ファンによる第２吸込空気は、前記第２下部通気孔から入り、前記第２電源部の近傍と前記第２冷却ファンを通り、前記第２上部通気孔から排出される様に構成した。
【００１１】
【発明の実施の形態】
最初に、図１のブロック図に従い、本発明の実施の形態に係る表示装置１の電気的構成を説明する。図１において、端子２は外部からの信号を受け付ける部品であり、例えば、ＵＳＢコネクタや、ＲＪ４５コネクタや、ＲＳ２３２Ｃコネクタ等からなる。端子２は例えば、ＬＡＮ回線（図示せず）の１端に接続され、ＬＡＮ回線の他端は、サーバ（図示せず）を介してインターネットに接続されている。
【００１２】
信号処理部３は例えば、ＣＰＵと、通信インターフェースと、入力部と、信号変換部と、ＲＡＭと、記憶部（いずれも図示せず）等からなる。入力部に所定の入力がなされると、ＣＰＵはインターネットに接続されたプロバイダーサーバ（図示せず）に対し、所定の画像情報（例えば、広告情報）を要求する。
【００１３】
上記画像情報は、インターネットとサーバとＬＡＮ回線と端子２を介し、信号処理部３へ入力される。信号処理部３は、入力された画像情報を、液晶パネル４（後述）の画像サイズ（例えば２９インチ）に従う画像データ（Ｒ，Ｇ，Ｂのディジタル値）に変換し、伝送器５に対し、上記データを出力する。
【００１４】
伝送器５は、入力された画像データを、低レベル差動伝送信号ＬＶＤＳ（Ｌｏｗ  Ｖｏｌｔａｇｅ  Ｄｉｆｆｅｒｅｎｔｉａｌ  Ｓｉｇｎａｌ）に変換し、駆動部６に対し、上記信号ＬＶＤＳを出力する。
【００１５】
ＤＣ−ＤＣコンバータ７は、直流電圧（例えば、１４Ｖ）が入力されると、所定の各直流電圧（例えば、１２Ｖと５Ｖと３．３Ｖ）を出力する部品である。この様にして、ＤＣ−ＤＣコンバータ７は、信号処理部３と、伝送器５と、駆動部６に対し、各々、所定電圧を出力する。
【００１６】
上記端子２と、信号処理部３と、伝送器５と、ＤＣ−ＤＣコンバータ７は、メイン回路基板８に設けられた各配線パターン上に、半田等を介して固着されている。これらの端子２と、信号処理部３と、伝送器５と、ＤＣ−ＤＣコンバータ７と、メイン回路基板８等により、メインＰＣＢ９は構成されている。
【００１７】
液晶パネル４は例えば、２枚のガラス板の中に液晶を封入したものから成る。下ガラス板の表面上に、複数のソース電極と、複数のゲート電極が行列状に形成され、各画素毎に、各ＴＦＴが形成されている。
【００１８】
駆動部６は、例えば、ソースドライバと、ゲートドライバ等からなる。ソースドライバは、上記複数のソース電極に接続されている。ゲートドライバは、上記複数のゲート電極に接続されている。この様に、駆動部６は、液晶パネル４に設けられた各ソース電極及び各ゲート電極を駆動するものである。
【００１９】
バックライト１０は液晶パネル４を照光するものである。インバータ１１はバックライト１０を駆動するものである。これらの液晶パネル４と、駆動部６と、バックライト１０と、インバータ１１等により、液晶表示部１２は構成されている。
【００２０】
プラグ１３の出力側は、コネクタ基板１４を介して、第１電源部１５と、第２電源部１６に接続されている。第１電源部１５および第２電源部１６は共に、トランスや整流回路などからなり、所定の電圧を持つ直流電圧を供給するものである。
【００２１】
即ち、第１電源部１５は液晶表示部１２のバックライト１０に対し、所定の電源を供給する。第２電源部１６は、ＤＣ−ＤＣコンバータ７を介して、液晶表示部１２の駆動部６に対し、所定の電源を供給する。以上の部品により、この表示装置１の電気的構成はなされている。
【００２２】
次に、図２および図３に従い、この表示装置１の機械的構成を説明する。図２は、後板を部分的に外した時の、表示装置１を裏から見た図面、図３は図２のＡ−Ａの断面図である。
【００２３】
こららの図において、フレーム１７は例えばステンレス板からなり、略四角の枠状に形成され、後面側Ｂの所定個所に、折り曲げ部が形成されている。
【００２４】
第１仕切板１８の上部は、フレーム１７を構成する上板２０の内面に当接し、第１仕切板１８の下部は、フレーム１７を構成する下板２１の内面に当接する様に、第１仕切板１８は配置され、固定されている。
【００２５】
第２仕切板１９の上部は、上板２０の内面に当接し、第２仕切板１９の下部は下板２１の内面に当接する様に、第２仕切板１９は配置され、固定されている。
【００２６】
第１仕切板１８は後面側Ｂの適所に、第１開口部２２が形成されている（図３参照）。第１仕切板１８は例えば、アルミニュームの押出材からなり、断面形状が略凸状に形成されている。
【００２７】
第２仕切板１９は後面側Ｂの適所に、第２開口部（図示せず）が形成されている。第２仕切板１９は例えばアルミニュームの押出材からなり、断面形状が略凸状に形成されている。
【００２８】
第１冷却ファン２３は例えば、ファンと、ファンケーシングと、モータ等により構成されている。第１冷却ファン２３を構成するファンケーシングの左側は第１仕切板１８の右側に載置され、小ネジで固定されている。上記ファンケーシングの右側は、フレーム１７の折り曲げ部の上に載置され、小ネジで固定されている。
【００２９】
取付板２４は例えば、断面形状が略Ｕ字状に形成され、その左端と右端に各々折り曲げ部が形成されている。取付板２４に形成された左の折り曲げ部は、第１仕切板１８の右側に載置され、小ネジで固定されている。取付板２４に形成された右の折り曲げ部は、フレーム１７の折り曲げ部の上に載置され、小ネジで固定されている。
【００３０】
第１電源部１５は例えば、第１回路基板２５と、その上に固定された電気部品２６ａ，２６ｂ，２６ｃ，２６ｄ，２６ｅ（トランスや抵抗やコンデンサやトランジスタ等からなる）等により、構成されている。第１回路基板２５は、スペーサ２７ａ，２７ｂを介して、取付板２４に固定されている。
【００３１】
取付板２８は例えば、断面形状が略Ｕ字状に形成され、その左側と右側に各々折り曲げ部が形成されている．取付板２８の左の折り曲げ部は、第２仕切板１９の右側に載置され、小ネジで固定されている。取付板２８の右の折り曲げ部は、第１仕切板１８の左側に載置され、小ネジで固定されている。メインＰＣＢ９はスペーサ（図示せず）を介して、取付板２８に固定されている。
【００３２】
第２冷却ファン２９は例えば、ファンと、ファンケーシングと、モータ等により構成されている。第２冷却ファン２９のファンケーシングの左側は、フレーム１７の折り曲げ部の上に載置され、小ネジで固定されている。上記ファンケーシングの右側は、第２仕切板１９の左側に載置され、小ネジで固定されている。
【００３３】
取付板３０は例えば、断面形状が略Ｕ字状に形成され、その左側と右側に各々折り曲げ部が形成されている。取付板３０の左の折り曲げ部は、フレーム１７の折り曲げ部の上に載置され、小ネジで固定されている。取付板３０の右の折り曲げ部は、第２仕切板１９の左側に載置され、小ネジで固定されている。
【００３４】
第２電源部１６は例えば、第２回路基板３１と、その上に固定された電気部品３２ａ，３２ｂ，３２ｃ，３２ｄ，３２ｅ（トランスや抵抗やコンデンサやトランジスタ等からなる）等により、構成されている。第２回路基板３１は、スペーサ（図示せず）を介して、取付板３０に固定されている。
【００３５】
前板３３は例えば金属板等からなり、箱状に形成されている。前板３３の前面側Ｃには、開口部３４が形成されている。前板３３の側面の適所に、凹部が形成され、その凹部がフレーム１７に当接し、小ネジにより、前板３３はフレーム１７に固定されている。
【００３６】
後板３５は例えば金属板等からなり、前面側Ｃに折り曲げ部が形成され、この折り曲げ部は、前板３３に内接している。後板３５は、フレーム１７の折り曲げ部の上と、第１仕切板１８の上と、第２仕切板１９の上に載置され、各々、小ネジにて固定されている。
【００３７】
後板３５の下部の略中央には、第１下部通気孔３６が形成され、下部の左側には、第２下部通気孔３７が形成されている。後板３５の上部の右側には、第１上部通気孔３８が形成され、上部の左側には、第２上部通気孔３９が形成されている。これらのフレーム１７と、前板３３と、後板３５とにより、ケーシング４０が構成されている。
【００３８】
液晶表示部１２は例えば、２９インチの液晶パネル４と、駆動部６と、バックライト１０と、インバータ１１等により構成され、外形は略直方体である。液晶表示部１２は例えば、ボルト（図示せず）等により、フレーム１７の内辺に固定されている。液晶表示部１２の前面側Ｃは、パッキン４１を介して、前板３３の内面に当接している。
【００３９】
また、必要に応じて、インバータ１１は液晶表示部１２から離れた位置に配置しても良い。以上の部品により、この表示装置１の機械的構成はなされている。
【００４０】
上述した表示装置１の特徴的な構成を以下に述べる。ケーシング４０には、第１下部通気孔３６および第１上部通気孔３８が形成されている。
【００４１】
液晶表示部１２は、ケーシング４０内の前面側Ｃに配置されている。第１電源部１５はケーシング４０内の後面側Ｂに配置され、液晶表示部１２のバックライト１０に対し、インバータ１１を介して、電源を供給するものである。
【００４２】
第１冷却ファン２３は第１上部通気孔３８の近傍に位置する様に、ケーシング４０の後面側Ｂに配置されている。第１電源部１５を構成する第１回路基板２５は、ケーシング４０の第１側面４２に対し、傾けて（即ち、平行ではなく、斜交する様に）配置されている。
【００４３】
第１仕切板１８は、第１冷却ファン２３および第１電源部１５に隣接して配置されている。第１仕切板１８には、第１開口部２２が形成されている。
【００４４】
第１冷却ファン２３による吸込空気Ｄは、第１下部通気孔３６から入り、第１開口部２２と、第１電源部１５の近傍と、第１冷却ファン２３を通った後に、第１上部通気孔３８から排出される様に、構成されている。
【００４５】
更に、ケーシング４０には、第２上部通気孔３９が形成されている。第２電源部１６は、ケーシング４０内の後面側Ｂに配置され、液晶表示部１２の駆動部６に電源を供給するものである。
【００４６】
第２冷却ファン２９は、ケーシング４０内の後面側Ｂに配置され、第２上部通気孔３９の近傍に配置されている。第２電源部１６を構成する第２回路基板３１は、第１側面４２に対向するケーシング４０の第２側面４３に対し、傾けて（即ち、平行ではなく、斜交する様に）配置されている。
【００４７】
また、第２仕切板１９は、第２冷却ファン２９および第２電源部１６に隣接して配置されている。第２仕切板１９には、第２開口部が形成されている。
【００４８】
第２冷却ファン２９による第１吸込空気Ｅは、第１下部通気孔３６から入り、第２開口部と、第２電源部１６の近傍と、第２冷却ファン２９を通った後に、第２上部通気孔３９から排出される様に、構成されている。
【００４９】
更に、ケーシング４０において、第２電源部１６の下部に位置する様に、第２下部通気孔３７が形成されている。
【００５０】
第２冷却ファン２９による第２吸込空気Ｆは、第２下部通気孔３７から入り、第２電源部１６の近傍と、第２冷却ファン２９を通った後に、第２上部通気孔３９から排出される様に、構成されている。以上の部品により、この表示装置１は構成されている。
【００５１】
次に、図１ないし図３に従い、この表示装置１の動作を説明する。最初に、使用者はプラグ１３を電源コンセント（図示せず）に挿入し、電源スイッチ（図示せず）を押し、信号処理部３を構成する入力部（キーボードやマウス等）に、所定の入力を行ったものとする。
【００５２】
この時、例えば、プロバイダサーバから、インターネットとサーバとＬＡＮ回線と端子２を介して、画像情報が信号処理部３へ入力される。画像情報は信号処理部３により、画像データに変換され、伝送器５に入力される。
【００５３】
画像データは伝送器５により、ＬＶＤＳ信号に変換され、駆動部６に入力される。そして、液晶パネル４は、このＬＶＤＳ信号に従い、表示を行う。また、第１電源部１５と、第２電源部１６と、第１冷却ファン２３と、第２冷却ファン２９にも、電圧が供給される。
【００５４】
その結果、第１回路基板２５上の電気部品２６ａ〜２６ｅと、第２回路基板３１上の電気部品３２ａ〜３２ｅは、温度上昇を開始する。
【００５５】
この時、第１冷却ファン２３による吸込空気Ｄは、第１下部通気孔３６から入り、第１開口部２２と、第１電源部１５の近傍と、第１冷却ファン２３を通る。その後、吸込空気Ｄは、第１上部通気孔３８から排出される。
【００５６】
この様に、ケーシング４０の第１側面４２に対し、第１回路基板２５を傾ける事により、第１回路基板２５上の電気部品２６ａ〜２６ｅの温度上昇値は抑制される。
【００５７】
ケーシング４０と第１仕切板１８とにより閉じられた第１空間４４は、平面から見て、略長方形である（図２を参照）。また、第１回路基板２５も平面から見て略長方形である。
【００５８】
仮に、ケーシング４０の第１側面４２に対し、第１回路基板２５を傾けていない第１例（即ち、第１側面４２に対し、第１回路基板２５が平行である）とものとする。この時、吸込空気Ｄは、第１回路基板２５上の電気部品２６，２６ｂ，２６ｃ，２６ｅにより、上部に進むにつれ、徐々に温度が高くなる。その結果、第１回路基板２５上の固定され、上部に位置する電気部品２６ｄの温度上昇値は高くなる。
【００５９】
仮に、第１側面４２に対し、第１回路基板２５が９０度だけ傾いている（即ち第１回路基板２５が横に配置されている）ものを、第２例とする。この時、吸込空気Ｄは、第１例に比べ、第１回路基板２５を通過する距離が最も短い。
【００６０】
従って、この時、例えば、電気部品２６ａを通る吸込空気Ｄは、電気部品２６ａのみに加熱されるので、温度上昇値は小さい。また、電気部品２６ａの上部に位置する電気部品２６ｅは、上記吸込空気Ｄと接触するので、この電気部品２６ｅの温度上昇は小さい。
【００６１】
この様に、本発明者は、第１側面４２に対し、第１回路基板２５が傾く程、電気部品２６ａ〜２６ｅの温度上昇値は小さくなる事を究明した。しかし、第１空間４４の大きさの制限があるので、実際は、第２例の様に、第１回路基板２５を横置きにする事ができない。
【００６２】
その結果、第１空間４４の大きさの制限内に、第１回路基板２５は、できるだけ、大きく傾けて（即ち、第１側面４２に対し、斜交する様に）配置されるのが良い。
【００６３】
また、この時、第２回路基板３１上の電気部品３２ａ〜３２ｅも温度上昇を開始する。そして、第２冷却ファン２９による第１吸込空気Ｅは、第１下部通気孔３６から入り、第２開口部と、第２電源部１６の近傍と、第２冷却ファン２９を通る。その後に、第１吸込空気Ｅは、第２上部通気孔３９から排出される。
【００６４】
更に、第２冷却ファン２９による第２吸込空気Ｆは、第２下部通気孔３７から入り、第２電源部１６の近傍と、第２冷却ファン２９を通る。その後に、第２吸込空気Ｆは、第２上部通気孔３９から排出される。
【００６５】
この様に、第２電源部１６は、第２電源部１６は、第１吸込空気Ｅと、第２吸込空気Ｆの両方にて冷却されるので、冷却効果は大きい。その結果、第２電源部１６を構成する電気部品３２ａ〜３２ｅの温度上昇値は小さい。
【００６６】
また、第１回路基板２５と同様に、第２回路基板３１もケーシング４０の第２側面４３に対し、傾けて配置されている。その結果、第２回路基板３１を傾けないで配置した場合に比べ、第１吸込空気Ｅおよび第２吸込空気Ｆが第２回路基板３１を通過する距離は小さい。故に、傾けずに配置した場合に比べ、第２回路基板３１上の電気部品３２ａ〜３２ｅの温度上昇値は、更に小さくなる。
【００６７】
【発明の効果】
請求項１の本発明では、第１下部通気孔及び第１上部通気孔が形成されたケーシングと、前記ケーシング内の前面側に配置された液晶表示部と、前記ケーシング内の後面側に配置され、前記液晶表示部のバックライトに電源を供給する第１電源部と、前記第１上部通気孔の近傍に位置する様に、前記ケーシング内の後面側に配置された第１冷却ファンとを備え、前記第１電源部を構成する第１回路基板は、前記ケーシングの第１側面に対して、傾けて配置された。この様に、ケーシングの第１側面に対し、第１回路基板を傾けて配置させる。その結果、傾けないで配置した場合に比べ、第１冷却ファンによる吸込空気が第１回路基板を通過する距離は小さい。それ故に、第１回路基板上の電気部品の温度上昇値は小さくなる。
【００６８】
請求項２の本発明では、前記第１冷却ファン及び前記第１電源部に隣接する第１仕切板を設け、前記第１仕切板に第１開口部を設け、前記第１冷却ファンによる吸込空気は、前記第１下部通気孔から入り、前記第１開口部と前記第１電源部の近傍と前記第１冷却ファンを通り、前記第１上部通気孔から排出される様に構成した。この様に、第１仕切板を設ける事により、第１仕切板とケーシングとにより、閉じられた第１空間が構成される。そして、第１冷却ファンによる吸込空気は、第１下部通気孔から入り、第１開口部と第１電源部の近傍を通る。その結果、第１電源部に対する上記吸込空気による冷却効果は高まる。
【００６９】
請求項３の本発明では、上記ケーシングに第２上部通気孔を設け、前記ケーシング内の後面側に配置され、前記液晶表示部の駆動部に電源を供給する第２電源部を設け、前記第２上部通気孔の近傍に位置する様に、前記ケーシング内の後面側に第２冷却ファンを設け、前記第２電源部を構成する第２回路基板は、前記第１側面に対向する前記ケーシングの第２側面に対し、傾けて配置された。この様に、電源部を第１電源部と第２電源部に分割する事により、各電源部の負担が軽くなる。その結果、各電源部の信頼性は高い値を維持される。
【００７０】
請求項４の本発明では、前記第２冷却ファン及び前記第２電源部に隣接する第２仕切板を設け、前記第２仕切板に第２開口部を設け、前記第２冷却ファンによる第１吸込空気は、前記第１下部通気孔から入り、前記第２開口部と前記第２電源部の近傍と前記第２冷却ファンを通り、前記第２上部通気孔から排出される様に構成した。この様に、第２仕切板を設ける事により、第２仕切板とケーシングとにより、閉じられた第２空間が構成される。そして、第２冷却ファンによる吸込空気は、第２下部通気孔から入り、第２開口部と第２電源部の近傍を通る。その結果、第２電源部に対する上記吸込空気による冷却効果は高まる。
【００７１】
請求項５の本発明では、前記第２電源部の下部に位置する様に、前記ケーシングに第２下部通気孔を設け、前記第２冷却ファンによる第２吸込空気は、前記第２下部通気孔から入り、前記第２電源部の近傍と前記第２冷却ファンを通り、前記第２上部通気孔から排出される様に構成した。上記構成により、第２電源部は第１吸込空気と、第２吸込空気の両方にて冷却されるので、冷却効果は大きい。その結果、第２電源部を構成する電気部品の温度上昇値は小さくなる。
【図面の簡単な説明】
【図１】本発明の実施の形態に係る表示装置１のブロック図である。
【図２】上記表示装置１の後板３５を部分的に外した時の、表示装置１を裏から見た図面である。
【図３】図２のＡ−Ａ断面図である。
【符号の説明】
１５  第１電源部
２３  第１冷却ファン
２５  第１回路基板
３６  第１下部通気孔
３８  第１上部通気孔
４０  ケーシング
４２  第１側面
【図１】
2004294863.tif 000003
【図２】
2004294863.tif 000004
【図３】
2004294863.tif 000005